(57)【要約】【課題】専用の録画装置を必要とせず、安価な家庭用の監視映像記録システムを提供する【解決手段】対象物を撮影するカメラ部と、前記カメラ部を制御する制御装置と、前記カメラ部から得られた映像信号を処理する映像処理装置と、前記映像信号を記録する記録装置と、映像表示装置と、携帯型の映像表示装置からなる監視映像記録システムにおいて、前記制御装置は映像の圧縮部を有し、前記映像処理装置がデジタル放送のデコード部と映像信号多重化部を有し、前記携帯型の映像表示装置はデジタル映像信号のデコード機能と文字図形の発生機能を有することを特徴とする監視映像記録システムとしている。【選択図】図１
2005278029.tif 000002
【特許請求の範囲】
【請求項１】
対象物を撮影するカメラ部と、前記カメラ部を制御する制御装置と、前記カメラ部から得られた映像信号を処理する映像処理装置と、前記映像信号を記録する記録装置と、映像表示装置と、携帯型の映像表示装置からなる監視映像記録システムにおいて、
前記制御装置は映像の圧縮部を有し、前記映像処理装置がデジタル放送のデコード部と映像信号多重化部を有し、前記携帯型の映像表示装置はデジタル映像信号のデコード機能と文字図形の発生機能を有することを特徴とする監視映像記録システム。
【請求項２】
対象物を撮影するカメラ部と、前記カメラ部を制御する制御装置と、前記カメラ部から得られた映像信号を処理する映像処理装置と、前記映像信号を記録する記録装置と、映像表示装置と、携帯型の映像表示装置からなる監視映像記録システムにおいて、
前記カメラ部から得られた映像信号を前記映像信号処理装置の映像信号多重化部に送信し、前記映像信号多重化部は前記カメラ部から得られた映像信号とデジタル放送デコード部から得られた映像信号を多重化して映像記録装置に送信し、映像信号記録装置は前記映像信号多重化部から得られた映像信号を記録することを特徴とする請求項１に記載の監視映像記録システム。
【請求項３】
対象物を撮影するカメラ部と、前記カメラ部を制御する制御装置と、前記カメラ部から得られた映像信号を処理する映像処理装置と、前記映像信号を記録する記録装置と、映像表示装置と、携帯型の映像表示装置からなる監視映像記録システムにおいて、前記携帯型の映像表示装置がインターネット網と携帯電話網を介して前記制御装置と接続され、前記カメラ部から得られた映像信号および前記記録装置で記録された映像を、前記映像圧縮部で圧縮してインターネット網と携帯電話網を介して前記携帯型の表示装置に伝送することを特徴とする請求項１に記載の監視映像記録システム。
【発明の詳細な説明】
【技術分野】
【０００１】
本発明は、映像の記録装置、特に家庭などで安価に構成できる無人の監視映像記録システムに関するものである。
【背景技術】
【０００２】
従来、監視装置においては、監視領域内に人間が存在する場合あるいは監視領域への人間の入出について常時監視を行ってその映像を記録するか、人間の存在が検出された場合のみ、その監視映像を記録装置に記録している。
【０００３】
図４は従来使用されてきた一般的な家庭用監視映像記録システムである。１は玄関付近を監視するＣＣＤカメラ、２はＣＣＤカメラ１で撮影された映像を記録する映像記録部、３は訪問者が押すことにより訪問を知らせるためのスイッチ、４はＣＣＤカメラ１および映像記録部２を制御する制御部、５は映像を保存する映像保存部、６は映像保存部５に記録された映像を再生する映像再生部、７はＣＣＤカメラ１から入力された映像および映像再生部６で再生された映像を表示する表示部、８は操作部である。
【０００４】
訪問者がインターホンなどのスイッチ３を押すと、制御部４がＣＣＤカメラ１を駆動して訪問者の撮影を開始する。訪問者の映像は表示装置７により家の中から監視することができる。またこれと同時に、スイッチ３を押すと制御部４が映像記録部２も駆動し、映像記録部２はＣＣＤカメラ１からの映像を保存可能な形式に変換し映像保存部５で保存される。保存された映像は操作部８から再生要求の指示が出されると、映像再生部６が映像保存部５より映像を抽出し、表示部７で表示可能な形式に変換した後表示部７に出力する。
【０００５】
しかしながら従来の家庭用玄関監視装置では、訪問者が訪問の意志がありインターホンなどのスイッチを押した場合にはユーザーである家人がその存在を確認可能であるものの、スイッチを押さない訪問者、いわゆる不審な訪問者に対して選択的に記録をすることができないという問題点を有していた。
【０００６】
図５は上記問題を解決しようとしたもので、スイッチを押さない訪問者を検知して、その画像を記録する手段を提供するものである。１のＣＣＤカメラから８の操作部までは図１と同じである。１１は距離センサ、１２は温熱センサ、１３は訪問者判定部である。これらのセンサを用いることにより、スイッチを押さない不振な訪問者も検出し、記録することを可能としている。
【特許文献１】特開平９−２８９６３７号公報
【発明の開示】
【発明が解決しようとする課題】
【０００７】
しかしながら上記従来の構成では、いずれも記録装置としてアナログビデオ録画装置が想定されており、基本的には監視記録装置として専用の録画装置が必要であった。
【０００８】
本発明は上記課題を解決するために、デジタル放送受信機に接続されたデジタル映像録画装置を監視映像録画装置と共用するものである。これにより専用の録画装置を必要とせず、安価な家庭用の監視映像記録システムを提供することが可能である。
【課題を解決するための手段】
【０００９】
上記従来の課題を解決するために、本発明では対象物を撮影するカメラ部と、前記カメラ部を制御する制御装置と、前記カメラ部から得られた映像信号を処理する映像処理装置と、前記映像信号を記録する記録装置と、映像表示装置と、携帯型の映像表示装置からなる監視映像記録システムにおいて、前記制御装置は映像の圧縮部を有し、前記映像処理装置がデジタル放送のデコード部と映像信号多重化部を有し、前記携帯型の映像表示装置はデジタル映像信号のデコード機能と文字図形の発生機能を有することを特徴とする監視映像記録システムとしている。
【００１０】
本構成によって専用の録画装置を必要とせず、安価な家庭用の監視映像記録システムを提供することが可能である。
【発明の効果】
【００１１】
本発明の監視映像記録システムによれば、専用の録画装置を必要とせず、安価な家庭用の監視映像記録システムを提供することが可能である。
【発明を実施するための最良の形態】
【００１２】
以下に本発明の実施の形態について、図面を参照しながら説明する。
【００１３】
（実施の形態１）
図１は本発明の実施の形態１における監視映像記録システムの構成を示すブロック図である。１はデジタル方式の監視カメラ、２は制御装置、３は操作部、４は映像処理装置、５は映像記録装置であるデジタルレコーダ、６は表示装置、７はスピーカー、８はインターネット網、９は携帯電話網、１０は携帯電話の基地局、１１は携帯端末である。２１は監視カメラ１とのインターフェース部、２２は制御装置２の制御部、２３は制御装置２のメモリ部、２４はインターネット網とのデジタル通信インターフェース部、２５は映像処理装置４とのインターフェース部、２６は映像圧縮部、２７は操作部３とのインターフェース部、２８は信号のバス、３１は操作部３の小型表示部、４１は映像処理装置のデジタル放送チューナー、４２はデジタル放送アンテナ、４３は映像処理装置４のＭＰＥＧデコーダ、４４は映像処理装置４のＡＶデコーダ、４５は映像処理装置４の制御部、４６は映像処理装置４の操作部であるリモコン、４７は映像処理装置４の多重化処理部、４８は制御装置２とのインターフェース部、４９はデジタルレコーダ５とのインターフェース部、５０は信号のバス、５１は文字図形処理部である。
【００１４】
映像処理装置４でデジタル放送を視聴している場合、デジタル放送アンテナ４２で受信したデジタル放送信号はチューナー４１に送られ、チューナー４１はリモコン４６から視聴者によって指示されたチャンネルを選局し、復調したデジタル放送信号のトランスポートストリーム（以下ＴＳと呼ぶ）をＭＰＥＧデコーダ４３に送る。ＭＰＥＧデコーダ４３は映像と音声のパケットを抽出しＡＶデコーダ４４に送る。ＡＶデコーダ４４は映像と音声のデジタル信号をアナログ信号に変換し、映像信号を表示装置６に、音声信号をスピーカー７に出力する。
【００１５】
次に視聴しているデジタル放送信号を録画したい場合、制御部４５はリモコン４６から録画の指示を受けると、多重化処理部４７に対しＭＰＥＧデコーダ４３から入力される映像・音声のデジタル信号をインターフェース４９を介してデジタルレコーダ５に出力するとともに、デジタルレコーダ５への録画命令をインターフェース４９を介してデジタルレコーダ５に出力するよう指示する。デジタルレコーダ５は受信した制御命令を解析し、録画命令であれば映像・音声のデジタル信号を録画する。
【００１６】
録画した映像・音声を再生したい場合、制御部４５はリモコン４６から再生の指示を受けると、デジタルレコーダ５への再生命令をインターフェース４９を介してデジタルレコーダ５に出力するよう指示する。デジタルレコーダ５は受信した制御命令を解析し、再生命令であれば録画された映像・音声の録画リストデータをインターフェース４９に出力する。制御部４５は録画リストデータを文字図形処理部５１に送り、文字図形処理部５１はグラフィックで文字や図形の信号を発生させて出力し、ＡＶデコーダ４４の出力と重畳して表示装置６に出力する。
【００１７】
このとき表示装置６に表示される録画リストデータは図２のようになっている。リモコン４６のカーソル移動ボタンで表示されたリスト上のカーソルを移動して再生したい映像・音声を選択し、リモコン４６の決定ボタンを押すと、デジタルレコーダ５に選択した映像・音声の番号データおよび再生命令が転送され、デジタルレコーダ５はリモコン４６で指示された映像・音声データを選択的に再生する。再生された映像・音声のデジタル信号はＡＶデコーダ４４へ送られ、ＡＶデコーダ４４はアナログの映像・音声信号に変換し、表示装置６とスピーカー７へ出力する。
【００１８】
監視カメラ１からの映像を録画する動作について述べる。操作部３によって監視カメラ１の向きなどを調整した後録画指示を行うと、監視カメラ１は撮影した映像信号をインターフェース部２１に出力する。監視カメラ１はＣＣＤ方式を使用しているため、撮影した映像はデジタル信号となっている。インターフェース部２１では、形式的にＰＡＴ、ＰＭＴ、ＮＩＴを付加して監視カメラからのデジタル映像信号をＭＰＥＧ２のＴＳに変換し、インターフェース２５を介して映像処理装置４のインターフェース４８に送る。この際付加するＰＩＤはＡＲＩＢ規格に準拠する。
【００１９】
インターフェース４８は制御装置２からデジタル映像信号を受信すると、制御部４５は受信したデジタル映像信号を多重化処理部４７に転送する。多重化処理部４７では、デジタル放送の映像・音声ＴＳが入力されていない場合、監視カメラ１からの映像ＴＳをそのままデジタルレコーダ５に出力し、デジタル放送の映像・音声ＴＳがある場合には、デジタル放送の映像・音声ＴＳのヌルパケットを監視装置の制御部２からの映像ＴＳで置き換える。
【００２０】
デジタルレコーダ５が録画する動作は上記と同じである。監視カメラからの映像は、利用者によって０．５秒から数秒に１枚の画像を撮影するよう設定できるので、データ量としてはデジタル放送の映像・音声ＴＳの１０分の１から１００分の１にすぎず、デジタル放送ＴＳのヌルパケットに置き換えても何ら問題ない。次にデジタルレコーダ５に録画した監視カメラ映像を再生する場合の動作について説明する。監視装置の操作部３からデジタルレコーダ５に対し再生指示を行うと、デジタルレコーダ５は録画映像のリストデータを送信し、操作部３の小型表示部３１に表示する。この際の表示内容は図２と同様である。カーソルを移動させて録画映像を選択することにより映像を再生する手順は、上記と同様である。
【００２１】
携帯端末１１から監視カメラ映像を記録・再生する動作について説明する。携帯端末１１は基地局１０、携帯電話網９、インターネット網８を介して監視カメラ装置の高速デジタル通信インターフェース（以下単に通信インターフェースと呼ぶ）２４と接続されている。通信インターフェース２４にＩＰアドレスを割り当てているので、携帯端末１１のインターネット通信機能を利用することにより通信インターフェース２４に直接アクセスすることが可能である。
【００２２】
携帯端末１１より通信インターフェース２４にアクセスすることにより、通信インターフェース２４は図３に示すメニューを表示する。この中から「録画」を選択することにより以下の手順でデジタルレコーダ５に監視カメラ映像を録画することができる。
【００２３】
図３のメニューで「録画」が選択されると、通信インターフェース２４を介して制御部２２に録画指示が伝えられる。制御部２２は監視カメラ映像およびデジタルレコーダ５への録画命令を、インターフェース２５を介して映像処理装置４に出力する。出力された監視カメラ映像はインターフェース４８を介して多重化処理部４７に出力されると共に、録画命令はインターフェース４９に転送される。以下デジタルデコーダ５に録画する動作は上記と同じである。
【００２４】
次に携帯端末１１に監視カメラ映像を表示する手順について説明する。図３のメニューで携帯端末１１から「監視カメラ映像」が選択されると、通信インターフェース２４を介して制御部２２に監視カメラ映像の出力指示が伝えられ、制御部２２は監視カメラインターフェース２１を介して得られた監視カメラ映像を映像圧縮部２６に転送する。映像圧縮部２６は監視カメラ映像を携帯端末１１の表示部に表示できる程度に圧縮し、通信インターフェース２４を介してインターネット網８に出力する。携帯端末１１の表示部はＱＶＧＡと呼ばれる２４０×３２０ドットの大きさとしている。監視カメラ映像は利用者により０．５秒から数秒に１枚の映像フレームが設定できるため、監視カメラ映像の伝送レートは数十から２００ｋｂｐｓ程度となり、途中のインターフェース網８、携帯電話網９を何ら問題なく伝送することができる。
【００２５】
携帯電話網９を伝送された監視カメラ映像は、基地局１０から無線通信で携帯端末１１に伝送され、携帯端末１１は内蔵のデコード手段（図示せず）により圧縮映像信号をデコード後表示部に表示する。
【００２６】
次にデジタルレコーダ５に録画された監視カメラ映像を再生して携帯端末１１に表示する手順について説明する。図２のメニューで「録画済みリスト表示（以下単にリスト表示と呼ぶ）」が選択されると、通信インターフェース２４を介して制御部２２にデジタルレコーダのリスト表示指示が伝えられる。
【００２７】
制御部２２はインターフェース２５を介して映像処理部４にデジタルレコーダ５のリスト表示命令を送信する。映像処理装置４のインターフェース４９がデジタルレコーダ５のリスト表示命令を受信すると、映像処理装置４の制御部４５はインターフェース４９を介してデジタルレコーダ５にリスト表示命令を転送する。デジタルレコーダ５はリスト表示命令を受信すると、録画されたリストのデータを出力する。録画リストデータは上記と逆の順で携帯端末１１に送信され、携帯端末１１は内蔵された文字図形処理部（図示せず）によって発生した文字図形を図２のように表示部に表示する。
【００２８】
表示部に表示された録画リストから、再生したい録画映像を選択して決定ボタンを押すと、選択された再生映像の番号データがデジタルレコーダ５に送信される。デジタルレコーダ５は、再生映像の番号データを受信するとその映像を再生し、携帯端末１１に再生映像が伝送される。デジタルレコーダ５の再生映像が、映像圧縮部２６で圧縮処理されて伝送され、携帯端末１１で表示される動作は上記と同様である。
【産業上の利用可能性】
【００２９】
以上のように構成された監視映像録画システムによれば、専用の録画装置を必要とせず、安価な家庭用の監視映像録画システムを提供することが可能であり、映像の録画装置、特に家庭などで安価に構成できる無人の監視映像記録システムなどに有用である。
【図面の簡単な説明】
【００３０】
【図１】本発明の監視映像録画システムの構成を示すブロック図
【図２】録画映像リストの表示画面の一例を示す図
【図３】録画・再生を選択する表示画面の一例を示す図
【図４】従来例の構成を示すブロック図
【図５】従来例の構成を示すブロック図
【符号の説明】
【００３１】
１    監視カメラ
２    制御装置
３    操作部
４    映像処理装置
５    映像記録装置
６    表示装置
７    スピーカー
８    インターネット網
９    携帯電話網
１０    携帯電話の基地局
１１    携帯端末
２１    インターフェース部
２２    制御部
２３    メモリ部
２４    インターフェース部
２５    インターフェース部
２６    映像圧縮部
２７    インターフェース部
２８    信号のバス
３１    操作部３の小型表示部
４１    デジタル放送チューナー
４２    デジタル放送アンテナ
４３    ＭＰＥＧデコーダ
４４    ＡＶデコーダ
４５    制御部
４６    リモコン
４７    多重化処理部
４８    インターフェース部
４９    インターフェース部
５０    信号のバス
５１    文字図形処理部
【図１】
2005278029.tif 000003
【図２】
2005278029.tif 000004
【図３】
2005278029.tif 000005
【図４】
2005278029.tif 000006
【図５】
2005278029.tif 000007